(57)【特許請求の範囲】
【請求項１】
所定の金額情報が付与された記録媒体をかざすことにより該記録媒体の金額情報の示す金額から選択した商品の販売金額を引き落として該商品の販売を制御する電子商取引部を有する自動販売機において、
投入貨幣を受け付けて処理する貨幣処理手段と、
複数の商品の中から所望の商品を選択する選択手段と、
前記選択手段で選択した商品の販売金額を記憶する記憶手段と、
前記選択手段で選択された商品を排出する商品排出手段と
を具備し、
前記電子商取引部は、
前記記録媒体を検出する検出手段と、
前記選択手段で商品を選択してから所定の時間内に前記検出手段により前記記録媒体が検出された場合は、該記録媒体から金額情報を読み取って、該読み取った金額情報の示す金額から前記記憶手段に記憶した前記販売金額を引き落とす引落制御手段と、
前記引落制御手段による前記販売金額の引き落としが正常に行われた場合は、前記選択手段で選択された商品の排出を前記商品排出手段に対して指示する商品排出指示手段と
を具備し、
前記選択手段による商品の選択前に前記貨幣処理手段により投入貨幣を受け付けた場合は、前記貨幣処理手段による前記投入貨幣の処理に基づく通常の販売処理に移行し、前記選択手段により商品の選択が行われ、前記検出手段により前記記録媒体を検出する前に前記貨幣処理手段により投入貨幣を受け付けた場合は、前記記憶手段による前記販売金額の記憶をキャンセルして前記貨幣処理手段による前記投入貨幣の処理に基づく通常の販売処理に移行することを特徴とする自動販売機。
【請求項２】
前記貨幣処理手段により投入貨幣を受け付けることなく前記選択手段により商品の選択が行われた場合は、該選択された商品に対応する販売ランプを点滅制御し、前記選択手段で商品を選択してから所定の時間内に前記検出手段により前記記録媒体が検出された場合は、該販売ランプを点灯制御し、前記検出手段により前記記録媒体を検出する前に前記貨幣処理手段により投入貨幣を受け付けた場合は、該販売ランプを消灯制御する販売ランプ点灯制御手段
を更に具備することを特徴とする請求項１記載の自動販売機。
【請求項３】
前記選択手段による商品の選択前に前記検出手段により前記記録媒体を検出した場合は、前記記録媒体に付与されている金額情報の残額を表示し、前記引落制御手段による前記販売金額の引き落としが正常に行われた場合は、該引き落とし後の前記記録媒体の金額情報の残額を表示する残額表示手段
を更に具備することを特徴とする請求項１または２記載の自動販売機。
【請求項４】
前記電子商取引部は、
前記商品払出手段により商品が正常に払い出せなかった場合は、前記記録媒体をかざすことを促す表示を行い、前記検出手段により前記記録媒体が検出された場合は、該記録媒体の金額情報の示す金額に前記引落制御手段により引き落とした販売金額を加算する引落金額返還手段
を更に具備することを特徴とする請求項１乃至３のいずれかに記載の自動販売機。
【発明の詳細な説明】
【０００１】
【発明の属する技術分野】
本発明は、非接触で情報の読み書きが可能な記録媒体（ＩＣカードやＩｒＭＣ等）を用いて商品の販売処理を行う自動販売機に関し、特に、非接触式で情報の読み書きが可能な記録媒体を用いて商品を購入する利用者の利便性を向上させ、且つ記録媒体を用いる販売処理と現金による販売処理とを利用者が違和感無く利用可能な自動販売機に関する。
【０００２】
【従来の技術】
従来、この種の自動販売機として、例えば、特開平２００２−４９９５６号公報（以下、単に「従来技術Ａ」という。）に開示された自動販売機が知られている。
【０００３】
具体的に、この従来技術Ａの自動販売機は、利用者により商品の指定操作が行われると、ＩＣカードやＩＣタグ等のデータキャリアに対して金額データの読み書きを行うリーダライタを読み書きが可能なスタンバイ状態に移行させるものである。
【０００４】
ところが、この構成は、リーダライタが常に読み書き可能なスタンバイ状態になっていない。また、商品を購入する前に利用者は自己が所持するデータキャリアの残高情報を確認することができないでいる。
【０００５】
また、例えば特開平２００１−３５７４３７号公報（以下、単に「従来技術Ｂ」という。）に開示された自動販売機が知られている。
【０００６】
具体的に、この従来技術Ｂの自動販売機では、非接触カードで商品を購入する場合、利用者は非接触カードで商品を購入するための専用のカードボタンを押下する必要がある。
【０００７】
ところが、この構成では、非接触カードを用いて商品を購入する場合に専用のカードボタンを押下するという操作が必要であり、操作性がスムーズでない。
【０００８】
【発明が解決しようとする課題】
上述の如く、上記従来技術Ａ及びＢでは、利用者の操作性が良くないものとなっている。
【０００９】
そこで、本発明は、上述の実情を鑑み、非接触式で情報の読み書きが可能な記録媒体を用いて商品を購入する利用者の利便性を向上させ、且つ記録媒体を用いる販売処理と現金による販売処理とを利用者が違和感無く利用可能な自動販売機の提供を目的とするものである。
【００１０】
【課題を解決するための手段】
上記目的を達成するために、請求項１の発明は、所定の金額情報が付与された記録媒体をかざすことにより該記録媒体の金額情報の示す金額から選択した商品の販売金額を引き落として該商品の販売を制御する電子商取引部を有する自動販売機において、投入貨幣を受け付けて処理する貨幣処理手段と、複数の商品の中から所望の商品を選択する選択手段と、前記選択手段で選択した商品の販売金額を記憶する記憶手段と、前記選択手段で選択された商品を排出する商品排出手段とを具備し、前記電子商取引部は、前記記録媒体を検出する検出手段と、前記選択手段で商品を選択してから所定の時間内に前記検出手段により前記記録媒体が検出された場合は、該記録媒体から金額情報を読み取って、該読み取った金額情報の示す金額から前記記憶手段に記憶した前記販売金額を引き落とす引落制御手段と、前記引落制御手段による前記販売金額の引き落としが正常に行われた場合は、前記選択手段で選択された商品の排出を前記商品排出手段に対して指示する商品排出指示手段とを具備し、前記選択手段による商品の選択前に前記貨幣処理手段により投入貨幣を受け付けた場合は、前記貨幣処理手段による前記投入貨幣の処理に基づく通常の販売処理に移行し、前記選択手段により商品の選択が行われ、前記検出手段により前記記録媒体を検出する前に前記貨幣処理手段により投入貨幣を受け付けた場合は、前記記憶手段による前記販売金額の記憶をキャンセルして前記貨幣処理手段による前記投入貨幣の処理に基づく通常の販売処理に移行することを特徴とする。
【００１１】
また、請求項２の発明は、請求項１の発明において、前記貨幣処理手段により投入貨幣を受け付けることなく前記選択手段により商品の選択が行われた場合は、該選択された商品に対応する販売ランプを点滅制御し、前記選択手段で商品を選択してから所定の時間内に前記検出手段により前記記録媒体が検出された場合は、該販売ランプを点灯制御し、前記検出手段により前記記録媒体を検出する前に前記貨幣処理手段により投入貨幣を受け付けた場合は、該販売ランプを消灯制御する販売ランプ点灯制御手段を更に具備することを特徴とする。
【００１２】
また、請求項３の発明は、請求項１または２の発明において、前記選択手段による商品の選択前に前記検出手段により前記記録媒体を検出した場合は、前記記録媒体に付与されている金額情報の残額を表示し、前記引落制御手段による前記販売金額の引き落としが正常に行われた場合は、該引き落とし後の前記記録媒体の金額情報の残額を表示する残額表示手段を更に具備することを特徴とする。
【００１３】
また、請求項４の発明は、請求項１乃至３のいずれかの発明において、前記電子商取引部は、前記商品払出手段により商品が正常に払い出せなかった場合は、前記記録媒体をかざすことを促す表示を行い、前記検出手段により前記記録媒体が検出された場合は、該記録媒体の金額情報の示す金額に前記引落制御手段により引き落とした販売金額を加算する引落金額返還手段を更に具備することを特徴とする。
【００２０】
【発明の実施の形態】
以下、本発明の実施形態について添付図面を参照して詳細に説明する。
【００２１】
図１は、本発明に係わる自動販売機１００の外観を示す正面図であり、この例では、飲料販売用の自動販売機１００を示している。
【００２２】
図１に示すように、この自動販売機１００は、販売商品を収納する本体筐１０の前面上部に、透明棚樹脂製の前面パネルにより覆われた商品見本の陳列棚１１を設け、また、該陳列棚１１の一側下部に、ＩＣカード等の非接触式カードに対して現金情報の読み書きを行うカードリーダライタ１２と、このカードリーダライタ１２の操作に関連した表示を行う表示部１３を設け、更に、本体筐１０の前面下部に購入商品の取り出し口１４を開設して構成されている。
【００２３】
また、陳列棚１１の内部には、販売商品に対応する商品見本Ａが、縦横各複数列に並べて配置されており、陳列棚１１の前面パネルには、購入希望の商品を指定するための押しボタン式の商品選択ボタン１５が、上記商品見本Ａの夫々に対応するように前面外部からの操作が可能に並設されている。
【００２４】
また、本体筐１０の内部には、図示しない上記商品見本Ａの夫々に対応する商品の収納部と、これらの収納部から商品を排出する商品搬送部とが具えられ、各収納部に収納された商品は、上記商品選択ボタン１５の操作に応じた商品搬送部の動作により、上記商品取り出し口１４の内側に設けた取り出し室に選択的に排出されるようになっている。
【００２５】
また、上記カードリーダライタ１２の配設位置の近傍に硬貨或いは紙幣等の現金を受ける硬貨投入口１６及び紙幣挿入口１７を併設している。
【００２６】
また、上記硬貨投入口１６及び紙幣挿入口１７より受け入れられた現金に応じて商品販売を行い、該販売した商品分の金額を差し引いた現金を釣銭として排出する釣銭排出口１８を備えている。
【００２７】
図２は、上記図１に示した自動販売機１００の内部システムの構成を示す図である。なお、この実施例では、電子商取引部が紙幣処理部を具える場合を例にしている。
【００２８】
図２に示すように、この自動販売機１００は、主制御部１０１と、電子商取引部１０２と、商品選択指定部１０３と、硬貨処理部１０４と、記憶部１０５と、キーボード端末部１０６と、表示処理部１０７、商品搬送部１０８と、コラム部１０９ａ〜１０９ｎと、システムバス１１０とを具えて構成される。
【００２９】
ここで、主制御部１０１は、この自動販売機１００全体を統括制御し、後述の電子商取引部１０２との間でＩＣカード等の非接触式カードによる商品の販売処理、或いは硬貨、紙幣等の現金による商品の販売処理を制御する。
【００３０】
電子商取引部１０２は、非接触で利用者が所持するＩＣカード等の非接触式カードの情報を読み書きし、主制御部１０１との間で商品の販売処理を制御する。
【００３１】
商品選択指定部１０３は、利用者の商品選択ボタン１５（図１参照）の押下操作に応じて選択された指定商品情報を主制御部１０１に通知する。
【００３２】
硬貨処理部（ＣＭ）１０４は、現金による商品販売において商品の対価となる硬貨の受け入れ処理や、釣銭の返却処理等を行う。
【００３３】
記憶部１０５は、この自動販売機１００における各種処理を実行する制御プログラムや各種必要なデータを記憶する。
【００３４】
キーボード端末部１０６は、販売業者側で販売する商品の価格等の各種設定を行う為の入力インタフェース部分である。
【００３５】
表示処理部１０７は、カードリーダライタ１２の操作に関連した情報を表示部１３（図１参照）に表示する処理を行う。
【００３６】
商品搬送部１０８は、主制御部１０１の制御信号に基づいて商品の排出処理を行い、コラム１０８に格納されている商品の排出を制御する。
【００３７】
コラム１０９は、販売業者によって供給された商品を収納する。
【００３８】
システムバス１１０は、上述の主制御部１０１と上述のその他の構成要素間で制御信号やデータを伝送する。
【００３９】
また、上述の電子商取引部１０２は、紙幣処理部１０２１と、電子商取引制御部１０２２と、カードリーダライタ１０２３と、アンテナ１０２４とを具えて構成される。
【００４０】
ここで、紙幣処理部（ＢＶ）１０２１は、現金による商品販売において紙幣の受け入れ、返却処理等を行う。
【００４１】
電子商取引制御部１０２２は、この電子商取引部１０２のコントローラであり、後述のカードリーダライタ１０３３で読み書きされるＩＣカード等の非接触式カードの現金情報に基づき、主制御部１０１との間で商品の販売処理を制御する。
【００４２】
カードリーダライタ１０２３は、アンテナ１０２４を介して非接触にてＩＣカード等の非接触式カード（以下、単に「カード」という。）Ｘの金額情報を読み書きする。尚、本実施例では、このカードリーダライタ１０２３は、待機状態において常にＩＣカード等の非接触式カードの読み書きが可能な状態を維持しているものとする。
【００４３】
アンテナ１０２４は、ＩＣカード等の非接触カードに対して無線により電力供給を行ったり、該カードの金額情報を送受信するインタフェースである。
【００４４】
尚、上記図１及び図２に示した構成では、自動販売機１００の構成しか示していないが、商品販売業者の管理センタの端末とネットワークを介して接続するように構成し、管理センタの端末にて商品の販売状況を管理したり、或いは非接触式カードの電子マネーの情報等を管理するようにしても良い。
【００４５】
次に、上述した構成による利用者の操作手順と、該操作手順に応じた自動販売機１００側の処理動作手順について説明する。
【００４６】
まず、図３及び図４を用いて利用者の操作に着目した場合の操作手順について説明する。
【００４７】
図３は、利用者が商品選択ボタン１５を押下して商品選択を行った後に、カードＸをカードリーダライタにかざして商品を購入する場合の一連の処理の流れを示す図である。
【００４８】
図３において、まず、利用者は、待機状態の自動販売機１００の前に行き、好きな商品を決める。そして、商品が決まったらその商品に該当する商品選択ボタン１５を押下して商品を選択指定する［図３（ａ）］。
【００４９】
すると、自動販売機１００では、押下された商品選択ボタン１５のランプを点滅させる［（図３（ｂ）］。
【００５０】
その後、利用者が、カードリーダライタ１２に対して自己の所持するカードＸをかざす。すると、自動販売機１００では、先ほど点滅状態にした商品選択ボタン１５の販売ランプを点灯させる［図３（ｃ）］。
【００５１】
この点灯処理後、自動販売機１００では、上記利用者のカードＸから当該指定された商品の金額引き落とし処理が行われる。そして、引き落としが正常に行われると、利用者に対して引き落とし後の残高を通知すべく表示部１３に残高情報を表示させる［図３（ｄ）］。尚、この例では、残高情報として「１１１０円」が表示された様子を示している。
【００５２】
その後、自動販売機１００では、利用者に対し指定商品の払い出し処理が行われ、且つ残高表示が解除される［図３（ｅ）］。
【００５３】
それ以降、自動販売機１００では利用者の操作（商品選択ボタンの押下や、カードＸのかざし操作や、現金投入操作など）を待つ待機状態に遷移される［図３（ｆ）］。
【００５４】
図４は、利用者が商品選択ボタン１５を押下して商品を選択する前に、自己の所持するカードＸをカードリーダライタにかざして残高を確認し、残高確認を行った後に、商品を購入する場合の一連の処理の流れを示す図である。
【００５５】
図４において、まず、利用者は、待機状態の自動販売機１００の前に行き、自己の所持するカードＸをカードリーダライタにかざす。すると、自動販売機１００では、利用者に対し該カードＸの残高を通知すべく表示部１３に残高情報を表示させる［図４（ａ）］。尚、この例では、残高情報として「１２３０円」が表示された様子を示している。
【００５６】
その後、残高を確認した利用者が、次に、商品を購入しようとした場合、まず、好きな商品を決める。そして、商品が決まったらその商品に該当する商品選択ボタン１５を押下して商品を選択指定する。すると、自動販売機１００では、押下された商品選択ボタン１５のランプを点滅させる［（図４（ｂ）］。
【００５７】
その後、利用者が、カードリーダライタ１２に対して自己の所持するカードＸをかざす。すると、自動販売機１００では、先ほど点滅状態にした商品選択ボタン１５のランプを点灯させる［図４（ｃ）］。
【００５８】
この点灯処理後、自動販売機１００では、上記利用者のカードＸから当該指定された商品金額分の引き落とし処理が行われる。そして、引き落としが正常に行われると、利用者に対して引き落とし後の残高を通知すべく表示部１３に残高情報を表示させる［図４（ｄ）］。尚、この例では、利用者が選択した商品が「１２０円」であり、この分を上記図４（ａ）で示した残高より引き、残額「１１１０円」が表示された様子を示している。
【００５９】
その後、自動販売機１００では、利用者に対し指定商品の払い出し処理が行われ、且つ残高表示が解除される［図４（ｅ）］。
【００６０】
それ以降、自動販売機１００では待機状態に遷移される［図４（ｆ）］。
【００６１】
次に、自動販売機１００側に着目した場合の処理動作手順について説明する。
【００６２】
図５は、自動販売機１００における処理動作の手順を示すフローチャートであり、この場合、上記図３及び図４に示したカードＸによる商品販売処理と、現金による商品販売処理の両方を含んだ処理手順を示している。
【００６３】
図５に示すように、自動販売機１００では、まず、利用者の操作（即ち、商品選択ボタンの押下や、カードＸのかざし操作や、現金投入操作など）を待つ待機状態において、利用者により現金が投入されるかどうかが監視されると共に（ステップＳ１０１）、利用者により商品選択ボタン１５が押下されるかどうかが監視される（ステップＳ１０２）。
【００６４】
これらの監視の結果、商品選択ボタン１５が押下された判定された場合（ステップＳ１０２ＹＥＳ）、該押下された商品選択ボタン１５のランプが点滅され、該点滅タイマーが開始される（ステップＳ１０３）。尚、上記商品選択ボタン１５が押下された場合、自動販売機１００では、該当する商品の金額情報が記憶される。
【００６５】
次いで、更にこの状態で、利用者により現金の投入が行われるかどうかが監視される（ステップＳ１０４）。
【００６６】
この監視の結果、利用者により現金の投入がなされていないと判定された場合（ステップＳ１０４ＮＯ）、次いで、上記点滅タイマーが切れたかどうかが判定される（ステップＳ１０５）。
【００６７】
この判定により、点滅タイマーが切れていないと判定されると（ステップＳ１０５ＮＯ）、次いで、利用者により正常なカードＸがかざされたかどうかが監視される（ステップＳ１０６）。
【００６８】
この監視の結果、正常なカードＸのかざし検出が行われると（ステップＳ１０６ＹＥＳ）、利用者により選択押下され点滅させていた商品選択ボタンのランプを点灯に変更させる（ステップＳ１０７）。尚、正常なカードＸのかざいが検出された場合、自動販売機１００では、上記ステップＳ１０２の処理時に記憶された金額情報が電子商取引部１０２に通知される。
【００６９】
その後、カードＸの現金引き落とし処理が行われる（ステップＳ１０８）。
【００７０】
ここで、引き落とし処理が正常に終了すると（ステップＳ１０９ＹＥＳ）、利用者に対し引き落とし後の残高を通知すべく表示部１３に残高情報の表示が行われ（ステップＳ１１０）、当該指定商品の排出処理が行われる（ステップＳ１１１）。
【００７１】
ここで、当該指定商品の排出処理が正常に行われると（ステップＳ１１２ＹＥＳ）、次いで、残高表示の解除が行われると共に（ステップＳ１１３）、該当する商品選択ボタンの販売ランプが消灯される（ステップＳ１１４）。
【００７２】
それ以降、上述のステップＳ１０１に戻って以下同様の処理が行われる。
【００７３】
尚、上記ステップＳ１０６の判定の結果、カードの認証処理が正常に行われなかった場合には（ステップＳ１０６ＮＯ）、エラー処理が行われ（ステップＳ１１５）、上述のステップＳ１１３に移行して以下同様の処理が行われる。具体的には、カード認証が正常に行われなかったので処理を中止する旨等を表示部１３（図１参照）にて利用者に通知する。
【００７４】
また、上記ステップＳ１０９の判定の結果、カードの引き落としが正常に行われなかった場合には（ステップＳ１０９ＮＯ）、エラー処理が行われ（ステップＳ１１６）、上述のステップＳ１１３に移行して以下同様の処理が行われる。具体的には、表示部１３にて残高不足のためカードの引き落としができなかった旨を利用者に通知する。  また、上記ステップＳ１１２の判定の結果、当該指定商品の排出処理が正常に行われなかった場合、例えば、商品を排出する際、詰まる等の原因で正常に排出できなかった場合には（ステップＳ１１２ＮＯ）、エラー処理が行われる（ステップＳ１１７）。具体的には、利用者に対して再度カードＸをカードリーダライタ１２にかざすように促す情報を表示部１３に表示させ、この表示に従って利用者がカードＸをカードリーダライタ１２にかざした場合、残高を元に戻す処理が行われる。
【００７５】
他方、上述のステップＳ１０１の監視の結果、待機状態において利用者により現金の投入が行われたと判定された場合（ステップＳ１０１ＹＥＳ）、全てのカード処理がキャンセルされる（ステップＳ１１８）。具体的には、商品選択に応じて記憶されている金額情報の管理や、選択ランプの点滅などの処理がキャンセルされる。
【００７６】
その後、自動販売機１００では、通常の現金による商品販売処理が行われる（ステップＳ１１９）。即ち、現金の投入金額が販売価格を上回った時に販売可能にする現行の制御処理が行われる。
【００７７】
この現金による商品販売処理が終了すると、上述のステップＳ１０１に戻って以下同様の処理が行われる。
【００７８】
他方、上述のステップＳ１０１の監視の結果、待機状態において現金投入が検出されず（ステップＳ１０１ＮＯ）、更にステップＳ１０２の監視の結果、待機状態において利用者により商品選択ボタン１５を押下する操作が検出されない場合（ステップＳ１０２）、上述のステップＳ１０３の処理で開始された点滅タイマーが切れたかどうかが判定される（ステップＳ１２０）。
【００７９】
ここで、タイマー切れであると判定されると（ステップＳ１２０ＹＥＳ）、次いで、利用者により正常なカードＸがかざされたかどうかが監視される（ステップＳ１２１）。
【００８０】
この監視の結果、正常なカードＸのかざし検出が行われると（ステップＳ１２１ＹＥＳ）、利用者に対して該カードＸの残高を通知すべく表示部１３に残高情報が表示される（ステップＳ１２２）。
【００８１】
それ以降、上述のステップＳ１０１に戻って以下同様の処理が行われる。
【００８２】
尚、上述のステップＳ１２０の判定の結果、タイマーが切れていないと判定されると（ステップＳ１２０ＮＯ）、上述のステップＳ１０４の処理に戻って以下同様の処理が行われる。
【００８３】
また、上記ステップＳ１２１の判定の結果、カードの認証処理が正常に行われなかった場合には（ステップＳ１２１ＮＯ）、エラー処理が行われ（ステップＳ１２３）、上述のステップＳ１２３に移行して以下同様の処理が行われる。具体的には、カード認証が正常に行われなかったので処理を中止する旨等を表示部１３にて利用者に通知する。
【００８４】
他方、上述のステップＳ１０４の判定の結果、この状態で現金が投入されたと判定されると（ステップＳ１０４ＹＥＳ）、該当する商品選択ボタン１５のランプが消灯され（ステップＳ１２４）、上述のステップＳ１１８の処理に移行して以下同様の処理が行われる。
【００８５】
他方、上記ステップＳ１０５の判定の結果、タイマー切れと判定されると（ステップＳ１０５ＹＥＳ）、今処理中の全てのカード処理がキャンセルされる（ステップＳ１２５）。具体的には、商品選択に応じて記憶されている金額情報の管理や、選択ランプの点滅などの処理がキャンセルされる。
【００８６】
それ以降、上述のステップＳ１０１の処理に戻って以下同様の処理が行われる。
【００８７】
【発明の効果】
以上説明したように、本発明によれば、非接触式で情報の読み書きが可能な記録媒体を用いて商品を購入する利用者の利便性を向上させ、且つ記録媒体を用いる販売処理と現金による販売処理とを利用者が違和感無く利用することができるようになる。
【図面の簡単な説明】
【図１】本発明に係わる自動販売機の外観を示す正面図。
【図２】図１に示した自動販売機の内部システムの構成を示す図。
【図３】利用者が商品選択ボタンを押下して商品選択を行った後に、カードをカードリーダライタにかざして商品を購入する場合の一連の処理の流れを示す図。
【図４】利用者が商品選択ボタンを押下して商品を選択する前に、自己の所持するカードをカードリーダライタにかざして残高を確認し、残高確認を行った後に、商品を購入する場合の一連の処理の流れを示す図。
【図５】自動販売機における処理動作の手順を示すフローチャート。
【符号の説明】
１００  自動販売機
１０  本体筐
１１  商品陳列棚
１２  カードリーダライタ
１３  表示部
１４  商品取り出し口
１５  商品選択ボタン
１６  硬貨投入口
１７  紙幣挿入口
１８  釣銭取り出し口
Ａ  商品見本
１０１  主制御部
１０２  電子商取引部
１０２１  紙幣処理部
１０２２  電子商取引制御部
１０２３  カードリーダライタ
１０２４  アンテナ部
１０３  商品選択指定部
１０４  硬貨処理部
１０５  記憶部
１０６  キーボード端末部
１０７  表示処理部
１０８  商品搬送部
１０９  コラム部
１１０  システムバス
Ｘ  カード
【図１】
0004112913.tif 000002
【図２】
0004112913.tif 000003
【図３】
0004112913.tif 000004
【図４】
0004112913.tif 000005
【図５】
0004112913.tif 000006